(57)【特許請求の範囲】
【請求項１】
開口部から既設ケーブルが挿入され前記既設ケーブルに係留されるフックと、前記フックの上部に接続され架線作業用の操作棒を引掛ける引掛け手段を有するアームと、前記フックの下部において固定端がピン結合され、自由端側において引込線を保持する引込線支持部と、を有する引込線架線用工具であって、
前記フックの開口端において固定端がピン結合され、前記開口部を開閉する方向に回動可能で自由端側に錘が配設された鉤口を有し、
前記アームは、前記鉤口の前記開口部の外側の位置で前記フックと当接する方向に回動可能にピン結合されて前記フックと前記鉤口を介して接続されるとともに、
前記フックと前記アームとの当接部分に形成され、前記フックと前記アームとを当接させることにより前記鉤口の回動をロックし、前記引掛け手段に前記操作棒を引掛けて持ち上げることに連動して前記当接を解除させることにより前記回動のロックを解除可能なストッパを有することを特徴とする引込線架線用工具。
【請求項２】
前記引込線支持部の自由端側には、固定端側に凸形状のアーチが形成され、前記アーチで引込線を保持することを特徴とする請求項１に記載の引込線架線用工具。
【請求項３】
前記引込線支持部において、引込線を挿通可能な貫通孔が形成されていることを特徴とする請求項１または２に記載の引込線架線用工具。
【請求項４】
前記引掛け手段は、前記係留時に前記既設ケーブルの真上に配置されることを特徴とする請求項１乃至３のいずれか１項に記載の引込線架線用工具。
【発明の詳細な説明】
【技術分野】
【０００１】
本発明は、電話線や光ファイバー等の引込線の架線工事に用いられる架線用工具に関する。
【背景技術】
【０００２】
従来、既設ケーブルである電話線等から分岐させた引込線を架線する工事は、高所作業車を既設ケーブルの分岐点に導入し、分岐点と引込先にそれぞれ作業者を配置して行われてきた。このような工事を行う場合は、高所作業車の作業位置を確保するために交通規制を行う必要があるばかりか、道路を跨って行われる場合は、反対車線を走る車等が引込線を轢いて損傷を与える問題があり、特に引込線が光ファイバーである場合にはガラスで形成されたファイバー繊維が割れてしまうため特にこの問題が顕著であった。この問題を解決するため特許文献１においては、既設ケーブルに引掛けるフックと、操作棒を引っ掛けることによりフックの開口部を開閉可能な開閉杆と、フックの下部に接続され引込線を保持する鼓車とから主に構成される金車（工具）が開示されている。これにより作業者が操作棒により工具を操作するので、交通規制を行うことなく作業者が一人で引込線を架線する工事をおこなうことができる。
【特許文献１】特開平７−２４１０１１号公報
【発明の開示】
【発明が解決しようとする課題】
【０００３】
しかし特許文献１に係る発明においては、フックの開口部の開閉をロックされないので、強風や作業の状態によってはフックが既設ケーブルから外れて工具が落下する危険性がある。また操作棒を引掛ける位置がフックの横にあるため、作業者が一方から操作棒を金車に引っ掛けることしができないため作業効率に問題があった。さらに特許文献１に係る発明においては中間分岐作業と交わし作業は別々の工具を必要とするため作業が煩雑になるという問題があった。
【０００４】
本発明は、上記従来の問題点に着目し、工具の落下を防止し、作業者、歩行者、及び車両への安全を図り、かつ作業時間の短縮および作業者の労力を削減させた引込線架線用工具を提供することを目的とする。
【課題を解決するための手段】
【０００５】
上記目的を達成するため、本発明に係る引込線架線用工具は、第１には、開口部から既設ケーブルが挿入され前記既設ケーブルに係留されるフックと、前記フックの上部に接続され架線作業用の操作棒を引掛ける引掛け手段を有するアームと、前記フックの下部において固定端がピン結合され、自由端側において引込線を保持する引込線支持部と、を有する引込線架線用工具であって、前記フックの開口端において固定端がピン結合され、前記開口部を開閉する方向に回動可能で自由端側に錘が配設された鉤口を有し、前記アームは、前記鉤口の前記開口部の外側の位置で前記フックと当接する方向に回動可能にピン結合されて前記フックと前記鉤口を介して接続されるとともに、前記フックと前記アームとの当接部分に形成され、前記フックと前記アームとを当接させることにより前記鉤口の回動をロックし、前記引掛け手段に前記操作棒を引掛けて持ち上げることに連動して前記当接を解除させることにより前記回動のロックを解除可能なストッパを有することを特徴としている。
【０００６】
第２には、前記引込線支持部の自由端側には、固定端側に凸形状のアーチが形成され、前記アーチで引込線を保持することを特徴としている。
第３には、前記引込線支持部において、引込線を挿通可能な貫通孔が形成されていることを特徴としている。
【０００７】
第４には、前記引掛け手段は、前記係留時に前記既設ケーブルの真上に配置されることを特徴としている。
【発明の効果】
【０００８】
本発明に係る引込線架線用工具によれば、引込線架線用工具を既設ケーブルに係留した状態では、既設ケーブルが鉤口に当接しても鉤口の回動はストッパによりロックされているため、既設ケーブルがフックから外れることは無く、また操作棒を引掛け手段に引掛けて引込線架線用工具を持ち上げることによりストッパは解除され容易に既設ケーブルからフックをはずすことができ、ストッパを独立に動作させる作業を必要とすることなく安全に既設ケーブルに対して取り外しを行うことができる。
【０００９】
そして、引込線支持部の固定端側に形成されたアーチによって引込線を保持するので、引込線に対して一定の摩擦力が作用し、引込作業時における引込線の弛みを防止することができ、特にアーチの曲率を光ファイバーの限界曲率以下とすることで光ファイバーを折らずに引き込むことができる。
【００１０】
また、引込線支持部に形成された貫通孔に引込線を通すことにより引込線を他の既設ケーブル上を交わすことが可能となるため、中間分岐作業と交わし作業が一の工具で実現でき、作業の煩雑さが解消される。
【００１１】
さらに、引掛け手段は引込線架線用工具を既設ケーブルに係留時に既設ケーブルの真上に配置されることにより、操作棒を既設ケーブルへどの方向からもアクセス可能となるため作業性が向上し、特に上述に交わし作業においてはその効果が顕著となる。
【発明を実施するための最良の形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
図１に本実施形態に係る引込線架線用工具を示す。図１（ａ）は平面図、図１（ｂ）は正面図、図１（ｃ）は右側面図、図１（ｄ）は図１（ｂ）の部分拡大図である。引込線架線用工具１０は、フック１２、鉤口１４、アーム１６、引掛け手段であるリング１８、引込線支持部２０、及びフック１２とアーム１６との当接部分に形成されたストッパ２２とから構成される。
【００１４】
フック１２は既設ケーブル２４に係留させるものであり、一枚の板をクエスチョンマーク型に刳り貫いた態様の外形を有している。係留時はフック１２の内側の上部と既設ケーブル２４の上部とが当接する。フック１２の内側の既設ケーブル２４と当接する部分には、既設ケーブル２４を傷つけないように、既設ケーブル２４と同程度かそれより柔らかい材料で被覆すると良い。フック１２の内側の内径は既設ケーブル２４の外形よりも大きい寸法を有するものとする。フック１２の開口部１２ａ（図２（ｃ）参照）は既設ケーブル２４が充分挿通できる寸法を有しているものする。
【００１５】
鉤口１４は２枚の板材を張り合わせた形態を有し、フック１２の開口部１２ａを開閉するものである。鉤口１４はその上端を固定端として鉤口１４を構成する２枚の板材でフック１２の開口端１２ｂを挟み込み、フック１２の開口端１２ｂと第１ピン結合部１２ｃによりフック１２に接続されている。よって鉤口１４はフック１２が形成する平面と同一平面上で回動することができる。
【００１６】
鉤口１４は、その長手方向の寸法が開口部１２ａと同程度の長さを有しており、自由端側にはフック１２の開口部１２ａの厚みと同じ厚みをもつ錘１４ａを挟み込む態様で配設されている。この錘１４ａにより、フック１２を垂直に立てた場合に鉤口１４は自重によりフック１２の開口部１２ａを閉じる方向に回動する。また鉤口１４は第１ピン結合部１２ｃより開口部１２ａに対して外側位置にある第２ピン結合部１４ｂにおいて後述のアーム１６をピン結合している。
【００１７】
アーム１６は引込線架線用工具１０を持ち上げるための操作棒２６（図２参照）を引っ掛けるものである。第１ピン結合部１２ｃ及び第２ピン結合部１４ｂの中心軸の方向は同一であり、アーム１６は上述のピン結合によりフック１２が形成する平面と同一平面上で回動するため、アーム１６のフック１２側の側面とフック１２の外周とが当接することになる。
【００１８】
前記当接部分にはストッパ２２が形成されている。ストッパ２２はフック１２側及びアーム１６側に形成されたステップにより構成される。ステップの高さは両側とも同じである。フック１２側のステップの立ち上がり面２２ａは第１ピン結合部１２ｃ側に向けて形成され、一方、アーム１６側のステップの立ち上がり面２２ｂは立ち上がり面２２ａに対向して形成されている。ステップの当接面２２ｄ（フック１２側）及び２２ｅ（アーム１６側）はともに平面形状としているが、互いの面に倣った形状であれば他の形状でも良い。このようなステップが互いに当接した状態で鉤口１４を開口部１２ａを開く方向に回動させると、第１ピン結合部１２ｃがわずかに回動してアーム１６がフック１２上をスライドする。しかしすぐに立ち上がり面２２ａ及び２２ｂが互いに干渉するため、第１ピン結合部１２ｃの回動をロックすることができる。したがってフック１２が係留される既設ケーブル２４が内側から鉤口１４に対して開口部１２ａを開く方向に付勢された場合においても、ストッパ２２により鉤口の回動はロックされ、開口部１２ａが開くことはないため、フック１２が既設ケーブル２４から外れることはない。
【００１９】
またステップの当接時において立ち上がり面２２ａ、２２ｂは互いに当接せず、隙間２２ｃを設けている。これにより第２ピン結合部１４ｂを固定端としてアーム１６をフック１２から離れる方向に回動させる場合に、立ち上がり面２２ａ、２２ｂが互いに干渉することを防ぐことができる。したがってストッパ２２は、フック１２とアーム１６とを当接させることにより鉤口１４の回動をロックし、リング１８に操作棒２６を引掛けて引込線架線用工具１０を持ち上げることに連動して前記当接を解除させることにより前記回動のロックを解除可能な構成を有している。
【００２０】
アーム１６の自由端側には操作棒２６を引掛ける引掛け手段であるリング１８が配設されている。リング１８はフック１２に既設ケーブル２４を係留させたときにその係留位置の真上に来るように設計され、そのときの向きはリング１８が形成する平面が水平となるようにアーム１６に取り付けられている。
また、フック１２には保持枠２８が配設され、保持枠２８の枠内にアーム１６が挿通されている。これによりアーム１６がフック１２との当接面側の反対側に回動することを防止している。なお、保持枠２８の枠内の寸法は、リング１８に操作棒２６を引掛け引込線架線用工具１０を持ち上げた場合にアーム１６と干渉しない程度の大きさであればよい。
【００２１】
フック１２の下端には、上端をピン結合（第３ピン結合部３０ａ）により接続された引込線支持部２０が配設されている。引込線支持部２０は、回転支持部３０、支持プレート３２、引込線ガイド３４を有する。
【００２２】
支持プレート３２は引込線（不図示）を保持するプレートであって、引込線架線用工具１０を既設ケーブル２４に係留した場合にアーム１２側に対してプレート側が下に位置するための錘としても機能する。支持プレート３２の下部には回転支持部３０側（鉛直方向上方）に凸のアーチ３２ａが形成されている。アーチ３２ａは、その端面が支持プレート３２面に接続され、引込線架線用工具１０を既設ケーブル２４に係留した場合は上向きに凸となるように配設されている。このアーチ３２ａに引込線（不図示）を載せることで引込線（不図示）を保持している。アーチ３２ａの支持プレート３２面側の反対側の端面には枠型の引込線ガイド３４が配設され、引込線（不図示）の落下を防止している。引込線ガイド３４は支持プレート３２と対向するように配設されているが、支持プレート３２と平行ではなく、引込線ガイド３４の中央部分を角として支持プレート３２側に折り曲げられ、引込線（不図示）を挿通させる隙間３４ａをある程度狭めている。この狭まった隙間３４ａの幅は引込線の直径と同程度であればよい。これにより引込線（不図示）を引込線ガイド３２に挿通させる作業を阻害せず、かつ引込線（不図示）が隙間３４ａから抜け出ることを防止することができる。
【００２３】
回転支持部３０は上端の第３ピン結合部３０ａにおいてフック１２とピン結合している。第３ピン結合部３０ａの回転軸は第１ピン結合部１２ｃ及び第２ピン結合部１４ｂと同一方向である。また下端においては第４ピン結合部３０ｂが配設され支持プレート３２の上端とピン結合している。第４ピン結合部３０ｂの回転軸は第３ピン結合３０ａの回転軸に垂直であって、引込線架線用工具１０を既設ケーブル２４に係留したときに鉛直方向に向くように設計されている。これにより引込線架線用工具１０が係留時に傾いても第３ピン結合部３０ａが支持プレート３２の自重により回転してアーチ３２ａは上に凸の状態を維持し、また第４ピン結合３０ｂによりアーチ３２ａの水平方向の角度を自由に変更できる。また支持プレート３２の中央部には引込線（不図示）を挿通させる貫通孔３２ａが形成され、後述の交わしの際に利用することができる。
【００２４】
以上の構成のもと、本実施形態における引込線架線用工具１０の動作について図２をもとに説明する。本実施形態においては中間分岐作業と交わし作業を行うことができる。中間分岐は、引込線（不図示）を既設ケーブル２４の途中から分岐させ引込先に引き込む作業であり、交わしは既設ケーブル２４の上に引込線（不図示）を通す作業である。
【００２５】
中間分岐作業は、まずローラ（不図示）に巻かれた引込線（不図示）を繰り出し、引込線架線用工具１０の引込線支持部２０に挿通する。このとき引込線の先端方向の引込線支持部２０から繰り出す長さは、既設ケーブル２４の設置位置の高さ程度にしておく。もちろん操作棒２６の長さも既設ケーブルが接地位置の高さ程度の寸法を有しているものとする。
【００２６】
まずリング１８に操作棒２６（先端部分のみ図示）を引掛け（図２（ａ））、引込線架線用工具１０を持ち上げる。引込線架線用工具１０を持ち上げ始めると（図２（ｂ））、第２ピン結合部１４ｂを中心としてアーム１６がフック１２から離れる方向に回動し、ストッパ２２が解除される、そしてさらに持ち上げると、アーム１６の長手方向がほぼ鉛直方向を向いた状態を維持しつつ、第１ピン結合部１２ｃを中心として鉤口１４がフック１２の開口部１２ａを開く方向に回動する。そして引込線架線用工具１０が操作棒に完全に吊られた状態となったときは（図２（ｃ））、リング１８が上端、引込線保持部２０が下端となり、開口部１２ａが開いた状態となる。
【００２７】
次に操作棒２６により引込線架線用工具１０を既設ケーブル２４の分岐位置に持っていき、開口部１２ａから既設ケーブル２４を挿入しフック１２の内側と既設ケーブル２４を当接させて、操作棒２６をリング１８から離す。するとアーム１６が自重により第２ピン結合部１４ｂを中心としてフック１２の外周に当接する方向に回動するとともに、鉤口１４も自重により第１ピン結合１２ｃを中心として開口部１２ａを閉じる方向に回動する。そしてアーム１６がフック１２と当接すると、前記当接部分に形成されたストッパ２２が係合して開口部１２ａは閉じられる（図２（ａ））。ここで、鉤口１４の自由端側には錘１４ａが配設されているため、第１ピン結合部１２ｃでの開口部１２ａが閉じる方向の回動が促され、さらに第２ピン結合１４ｂにより接続されたアーム１６を下方に引き寄せ、ストッパ２２の係合が容易となる。なお、アーム１６のフック１２から離れる方向の回動はアーム１6が保持枠２８と当接することにより阻止される。
【００２８】
そして作業者は引込線保持部２０に保持された引込線（不図示）の先端部分を持ち引込先まで引込線（不図示）を引張る。このとき引込線保持部２０のアーチ３２ａと引込線（不図示）との間で摩擦力が発生するので、引込線（不図示）が弛むことを防止することができる。またこの引張り作業中、若しくは強風により既設ケーブル２４が鉤口１４を開く方向に当接してもストッパ２２により鉤口１４が回動することが禁止されるので、引込線架線用工具１０が既設ケーブル２４から外れることはない。さらに第４ピン結合３０ｂは係留時において、水平方向にアーチ３２ａを回動させる作用を有するため、引込線（不図示）と既設ケーブル２４とのなす角度が直角でなくてもアーチ３２ａのスロープ面を引込先の方向に向け、引込線（不図示）が支持プレート３２の端部及び引込線ガイド３４に当接して負荷を受けることを防止できる。最後に引込先での引込線（不図示）の取り付け作業が終了したら、作業者は分岐位置に梯子をかけ、引込線架線用工具１０から引込線（不図示）を取り外して引込線架線用工具１０を回収し、中間分岐金物（不図示）で引込線（不図示）を既設ケーブル２４に結束させることにより中間分岐作業は終了する。
【００２９】
交わし作業は、まず、支持プレート３２に形成された貫通孔３２ｂに引込線（不図示）を挿入し、挿入先の先端を結わえる等して引込線（不図示）が貫通孔３２ｂから抜けないようにする。引込線架線用工具１０のリング１８に操作棒２６を引掛け、交わしを行う既設ケーブル２４に引込線架線用工具１０を係留する。このときの引込線架線用工具１０の動作は上述の中間分岐作業の場合と同様なので説明を省略する。つぎに作業者は既設ケーブル２４の反対側（交わし先側）に回り込み、再び操作棒２６をリング１８に引っ掛ける。このときリング１８は既設ケーブル２４の真上に位置するため操作棒２６を容易にリングに引掛けることができる。そして引込線架線用工具１０を再び吊り上げ、引込線架線用工具１０全体を既設ケーブル２４の上方から交わすことにより引込線（不図示）の交わし作業は終了する。
【００３０】
本実施形態において、フック１２の内側部分は光ケーブルの一束化（最大７５ｍｍ）を考慮し、その直径を９０ｍｍ程度とすることが望ましい。また既設ケーブル２４が複数段に配設される場合、その上下方向の間隔は３００ｍｍ程度であるので、フック１２の内側の既設ケーブル２４が当接する部分から引込線保持部２０の下端までの長さは２７０ｍｍ程度にして、係留した既設ケーブル２４の下段にある別の既設ケーブルと干渉しないようにすることが望ましい。さらに道路横断で光屋外線を架線する場合に考えられる引込線の弛みや、曲げや折れの発生を防止するため、アーチ３２ａは直径１２０ｍｍほどの円弧形状にすることが望ましい。
【産業上の利用可能性】
【００３１】
少ない労力で安全にかつ効率的に引込線の架線工事を行うことが可能な引込線架線用工具として利用できる。
【図面の簡単な説明】
【００３２】
【図１】本実施形態に係る引込線架線用工具の概略図である。
【図２】本実施形態に係る引込線架線用工具の動作を示す概略図である。
【符号の説明】
【００３３】
１０………引込線架線用工具、１２………フック、１４………鉤口、１６………アーム、１８………リング、２０………引込線支持部、２２………ストッパ、２４………既設ケーブル、２６………操作棒、２８………保持枠、３０………回転支持部、３２………支持プレート、３４………引込み線ガイド。
【図１】
0005190577.tif 000002
【図２】
0005190577.tif 000003